Podtech/llm-jp-corpus-v4-ja_patent huggingface dataset:
(57)【特許請求の範囲】
【請求項１】
Ｚｎ85.0〜90.0重量％、Ａｌ2.0〜5.0重量％、Ｃｕ1.5〜3.5重量％、Ｓｎ4.0〜8.0重量％、Ｔｉ0.001〜0.05重量％、Ｍｇ0.001〜0.02重量％からなる亜鉛合金。
【発明の詳細な説明】
【技術分野】
【０００１】
この発明は、海・湖・川等の自然環境下で使用するオモリ、ルアー等、や装飾品等に使用される、鉛等の有害金属を含まない、環境重視亜鉛合金に関する。
【背景技術】
【０００２】
従来の鉛主体合金は、融点が低く、容易に溶融させることができ、所望の型に成形できるため、海・湖・川で使用するオモリ、ルアー等、また計測器等に使用しているバランスウエィト、そして装飾品等、多数の用途に利用されている。このような合金の組成は、鉛（Ｐｂ）、錫（Ｓｎ）、アンチモン（Ｓｂ）を組成成分としている。
【先行技術文献】
【特許文献】
【０００３】
【特許文献１】特開平０８-１９３５９号
【発明の概要】
【発明が解決しようとする課題】
【０００４】
しかし、従来の合金では、鉛（Ｐｂ）、アンチモン（Ｓｂ）などの有害物質を含むものであり、自然環境下で放置されることによる悪影響が懸念される。また、装飾品の構成材料として使用される場合にも、身体に付けるものであるため、やはり有害物質を含む合金の使用は忌避されるべきである。しかしながら、鉛（Ｐｂ）、アンチモン（Ｓｂ）などを含む合金は、融点が低く、容易に加工できるとともに、成形品の表面が滑らかであるといった利点があり、鉛やアンチモンを含まない合金では、表面の滑らかさが得られないといった欠点があった。
【０００５】
この発明は、有害とされる鉛（Ｐｂ）やアンチモン（Ｓｂ）を含まない亜鉛合金であって加工が容易で、かつ成形品の表面が滑らかとなる合金を提供することを目的とするものである。
【課題を解決するための手段】
【０００６】
以上のような問題を解決する本発明は、以下のような構成を有する。
【０００７】
（１）Ｚｎ85.0〜90.0重量％、Ａｌ2.0〜5.0重量％、Ｃｕ1.5〜3.5重量％、Ｓｎ4.0〜8.0重量％、Ｔｉ0.001〜0.05重量％、Ｍｇ0.001〜0.02重量％からなる亜鉛合金。
【発明の効果】
【０００８】
本発明のはんだ合金によれば、鉛、カドミウム、アンチモンなどの有害物質を含有しない合金であるにもかかわらず、加工の容易性と、表面の滑らかな成形品が得られる。
【発明を実施するための形態】
【０００９】
本発明の合金は、Ｐｂ、Ｓｂ及びＣｄを含まないはんだ合金である。そして、環境負荷の少ない亜鉛合金であって、海・湖・川で使用する錘、ルアー等、計測器等に使用しているバランスウエィト、装飾品等に使用している有鉛合金の代替無鉛合金として有効である。
【００１０】
実施の形態
Ｚｎ85.0〜90.0重量％、Ａｌ2.0〜5.0重量％、Ｃｕ1.5〜3.5重量％、Ｓｎ4.0〜8.0重量％、Ｔｉ0.001〜0.05重量％、Ｍｇ0.001〜0.02重量％からなる合金である。このような範囲の組成を有することにより、本発明の合金は、有害物質を含まず、かつ、鋳込んだ場合には、表面が滑らかな成形品を得ることができ、従来の鉛合金の代替品として十分活用することができる。
【００１１】
このような効果は、好ましくは、さらに以下の範囲内であると良い。すなわち、
Ｚｎは、86.0〜89.0重量％、Ａｌは、3.0〜4.5重量％、Ｃｕは、2.0〜3.0重量％、Ｓｎは5.0〜7.0重量％、Ｔｉは0.02〜0.04重量％、Ｍｇは、0.005〜0.015重量％範囲内で、さらに良好な表面の光沢と強度が得られる。
【００１２】
本発明の亜鉛合金の型に鋳込み温度としては、390℃〜410℃がもっとも最適な温度で鋳込み後の成型体の表面が荒び無く表面が鏡面に近い状態の成型体になる。また、計測器等に使用しているバランスウエィト、装飾品等も同様の鋳込み温度390℃〜410℃がもっとも最適な温度で鋳込み後の成型体の表面が荒び無く表面が鏡面に近い成型体状態になる。成型体表面が鏡面状態に近いことからあらゆるメッキが可能で広範囲に使用される。
【００１３】
この実施の形態は、固相温度310.0℃〜液相温度352.0℃、比重6.6、硬度30.4Hv、伸び76.0％、抗張力224.0N／mm2、電気比抵抗9.8μΩcm、電導率24.7％の物性特性を有する。
【実験例】
【００１４】
本発明の合金の実施例１〜１０及び比較例１〜７の組成を表１に示す。これらの合金を、通常のインゴットケース1kg用(厚さ20mm×幅35mm×長さ250mm)に鋳込み、鋳込み後、再度炉中に入れ溶解し溶解後、オモリ成型体鉄金型に鋳込み、成型されたオモリの表面の状態を比較した。
【表１】
0005530273.tif 000002
比較例１〜７は、いずれも表面が粗く又は歪、白濁があり、良好な表面状態ではなかった。実施例１〜８は、表面が、いずれも良好な光沢が得られた。
(57)【特許請求の範囲】
【請求項１】
（ィ）オキシドールの入ったたれびんを1個備え、
（ロ）パッケージに入った救急絆創膏を1枚備え、
（ハ）前記救急絆創膏の白地の前記パッケージにオキシドールで水圧をかけて傷口を洗浄消毒し救急絆創膏を貼るか肩こり腰痛打撲時の湿布効果の使用法が書かれており、
（二）前記オキシドールの入ったたれびんの周りにこのパッケージに入った救急絆創膏を前記救急絆創膏と同じ大きさの湿布の粘着力で巻いて貼り合わせひと束として1セットにされている、
以上の如く特徴を持つ携帯オキシドール入りたれびんに救急絆創膏を湿布で巻いた即洗浄消毒保護湿布効果セット。
【発明の詳細な説明】
【技術分野】
【０００１】
本発明は、携帯オキシドール入りたれびんに救急絆創膏を巻いた即洗浄消毒保護セットに湿布効果を付加したものに関する。
【背景技術】
【０００２】
従来、外出先での傷口は救急絆創膏で保護するだけに留まっていたし打撲への処置はなかったし肩こり腰痛時にも大きくて携帯出来ない湿布しかなかった。
【０００３】
【特許文献１】特開2000−042025号公報
【特許文献２】特開2012-250047号公報
【発明の開示】
【発明が解決しようとする課題】
【０００４】
従来、外出先での傷口は救急絆創膏で保護するだけに留まっていたし打撲への処置はなかったし急な肩こり腰痛時の携帯用のポケットに入るぐらいの湿布もなかった。   
【課題を解決するための手段】
【０００５】
たれびんにオキシドールを入れ救急絆創膏をたれびんの周りに巻いて湿布の粘着力で貼り付け1セットにした。
【発明の効果】
【０００６】
外出先の屋外での傷口洗いを可能にし、消毒、保護をさらにコンパクトにし、湿布効果も付加した。   
【発明を実施するための最良の形態】
【０００７】
たれびんにオキシドールを入れ白地のパッケージに入った救急絆創膏をそのたれびんの周りに湿布の粘着力で巻いて1セットにし、傷口の汚れにオキシドールたれびんを強く押してその水圧で洗い落としオキシドール入りたれびんを強く押してその水圧で傷口の奥までも消毒でき最後に救急絆創膏で保護し、打撲への処置は前記湿布効果で解決し、急な肩こり腰痛にも湿布の携帯用で処置する、以上の如く特徴を持つ携帯オキシドール入りたれびんに救急絆創膏と湿布を巻いた即洗浄消毒保護湿布効果セット。
【実施例】
【０００８】
既製品のたれびんを使用することで生産過程を単純で早く当業者も作れるようにし、従来セロテープ（登録商標）でパッケージ入り救急絆創膏をたれびんに巻いていたものを湿布の粘着力で代替することでセロテープ（登録商標）部分の無駄を省き打撲への処置は湿布効果で解決して上記の如く実施される。
【産業上の利用可能性】
【０００９】
この分野の発明は特許文献1と特許文献2の改良でより良く効率的になっており、生産過程という面でも良く、擦り傷の多い子供等に使用でき、肩こり腰痛打撲への処置ははがした湿布の湿布効果で従来品にはない効果で、よりコンパクトになっており携帯用としては産業上の利用可能性は高いと解される。
(57)【特許請求の範囲】
【請求項１】
Ｔ型のプラスチックのＡ部品３を設け、そのＡ部品３の頭部を半円にし、その軸部には複数の穴を設けるとともに、ピン５付きのＢ部品４を設け、その頭部を半円にし、Ｂ部品４には半円の中心を貫通する孔とこの孔に直交するピンを差し込む穴が設けられており、Ｂ部品４の前記孔にＡ部品３の軸部を挿入するとともに、Ｂ部品４のピンを差し込む穴とＡ部品３の軸部の穴とにピン５を挿入することにより、Ａ部品３とＢ部品４とを連結する事を特徴とするとじ具。
【請求項２】
プラスチック本体にひもとその反対側にピンが一体についており、そのひもには、穴が数ケ所あいており、また、本体にはひもを通すための孔があり、それに直交するピンを通す小さめの穴があり、この穴とひもの穴とにピンを通すことを特徴とする物を縛る文房具。
【発明の詳細な説明】
【技術分野】
【０００１】  この発明は、パンチで紙に２ケ所穴を開けて、そこに紐を通して紙を綴じていましたが、その紐の部分を使いやすく簡単に取り外せるようにした文房具に関する。
【背景分野】
【０００２】  プラスチックの細い板状のものを、パンチの穴に通し折り曲げて固定してずれないようにして紙を綴じていた。その他にシステム手帳のように鉄の棒を通して綴じる方法もう一つは穴を開けないで鉄の板を上下に紙を挾むように取り付けてバネの力を利用して取り外す方法の３点が主に使われていた。
【発明の概要】
【発明が解決しようとする方法】
【０００３】  紙を綴じるための造作で部品が多すぎる、その上それらにより厚さができてしまう、鉄の板で挾む場合紙がはずれてしまう可能性がある。鉄の輪で綴じる場合その部分が固い金属なので紙のやわらかさとは同質感は得られない。資料を処分しようとする場合燃えないゴミの鉄の部分をはずさないとゴミにはならない。
【課題を解決するための手段】
【０００４】  プラスチックの部品を２つ作ります、それは、パンチであけた穴にボルトの様な要領で紙を綴じ中心の軸の部分に穴をあけ受け止める側にも小さな穴をあけそこを通るようにピンを差し込んで固定をして紙を綴じる。ボルトは６角形ですがそれを平らにしてひっかからないようにしてピンを差し込むため溝を作る
【発明の効果】
【０００５】  プラスチックでできているのでゴミといっしょに燃やせる、ピンで固定しているので外れることはない。  中心の軸は上へ出ていてもそこに付け足して使える。紙を綴じる部分は、薄いので存在感はない。外見もただボタンが付いているぐらいにしか見えない。金額的にも少額で作れる。
【図面の簡単な説明】
【０００６】
【図１】Ａ部品（凸部）の横と上から見た図
【図２】Ｂ部品（凹部）の横と上から見た図
【図３】Ａ部品、Ｂ部品が合体した図
【図４】一体形の使用例
【発明を実施するための形態】
【０００７】・この発明品を２つパンチの幅でつなげればノート型の綴じる部分になる。・中心の軸の部分をまるくすればシステム手帳にも使える。・中心の軸が上に出てしまってもそこに紙をはさみその上にまたＢ部品（凹部）を取り付ければ重ねて紙を綴じられる。・ピンを差し込む穴の直径の変化でピンをしっかりと個定できる。・物を縛るものにも応用がきく。
【符号の説明】
【０００８】１、横から見た図２、上から見た図３、Ａ部品（凸部）４、Ｂ部品（凹部）５、ピン６、ＡＢ合体図７、紙のたば
【図１】
0005440769.tif 000002
【図２】
0005440769.tif 000003
【図３】
0005440769.tif 000004
【図４】
0005440769.tif 000005
(57)【特許請求の範囲】
【請求項１】
液晶に電界を印加するための画素電極と共通電極とを同一基板上に対向して形成し、当該基板面にほぼ平行な方向の電界を液晶層に印加するようにしたＩＰＳ方式の液晶表示装置において、
前記画素電極と前記共通電極は、櫛型形状でなり、共通電極間に位置する画素電極を、一方の共通電極側に近づけて配置させた場合に、共通電極と画素電極との間隔が狭くなる領域となる、画素内の対向する電極間間隔の表示に寄与しない領域の幅を狭めることで、表示に寄与する領域の電界方向を一方向にするように配置し、
前記画素内の対向する電極間間隔の表示に寄与しない領域の幅は、前記画素電極と前記共通電極が形成される基板と対向する基板側に設けられる遮光用のブラックマトリックスの範囲内に収まるように狭められる
ことを特徴とする液晶表示装置。
【発明の詳細な説明】
【技術分野】
【０００１】
この発明は、表示面の焼きつきを改善する液晶表示装置に関するものである。
【背景技術】
【０００２】
液晶に電界を印加するための一対の電極を同一基板上に形成し、基板面にほぼ平行な方向の電界を液晶層に印加するようにしたＩＰＳ方式の液晶表示装置がある（例えば、特許文献１参照）。
【０００３】
このようなＩＰＳ方式の液晶表示装置は、視野角が広いことから、大型のＰＣモニタ、高品質テレビに採用されている。しかし、一般にＴＮ方式の液晶表示装置に比べて焼き付きが大きく、どの製品にも設計によらず焼き付きが発生することから、ＩＰＳ方式の液晶表示装置における最大の弱点となっており、抜本的な解決が行われていない。
【０００４】
【特許文献１】特許第３５６４７０４号公報
【発明の開示】
【発明が解決しようとする課題】
【０００５】
このような表示面の焼き付きは、電極が櫛型であるために、電極を挟んで左右の液晶表示部に加わる電界の向きが逆となるためである。そのため、ＴＦＴのオフ時に寄生容量の影響を除くために画素電極を挟んだ片方の共通電極へのＤＣ成分を最小に調整したときに、もう片方の共通電極はＤＣが残ってしまう。
【０００６】
さらに説明すると、３本の電極を平面に平行に並べ、外側の２本の電極に０Ｖ、内側の電極に１Ｖを加えると、電界は内側の電極から２本の外側の電極に向かうことは自明である。実際のＴＦＴ−ＬＣＤでは交流化しているが、歪んだパルスを与えるために共通電極の電圧を調整する。しかし、ＤＣ０にはできないので、ある値のＤＣが発生する。
【０００７】
液晶内部には電気二重層が発生していることが知られている。この発生箇所としては、電極と、配向膜界面と、配向膜及び液晶界面がある。そして、この電気二重層は、この３つの材料の性質で向きと大きさが決まる。ＩＰＳ方式の液晶表示装置の場合は、内側の電極から一方の外側の電極に向かう電界の方向と、内側の電極から他方の外側の電極に向かう電界の方向とに電気二重層成分があるときに、ＤＣ成分が右半分と左半分で異なってくる。従って、Ｖｃｏｍ調整を行ったときに、ＤＣ成分が残り、しいては焼き付きの原因となる。
【０００８】
この発明は上述した点に鑑みてなされたもので、ＩＰＳ方式の液晶表示装置における表示面の焼き付きを改善することができる画素構造を有する液晶表示装置を得ることを目的とする。
【課題を解決するための手段】
【０００９】
この発明に係る液晶表示装置は、液晶に電界を印加するための画素電極と共通電極とを同一基板上に対向して形成し、当該基板面にほぼ平行な方向の電界を液晶層に印加するようにしたＩＰＳ方式の液晶表示装置において、前記画素電極と前記共通電極は、櫛型形状でなり、共通電極間に位置する画素電極を、一方の共通電極側に近づけて配置させた場合に、共通電極と画素電極との間隔が狭くなる領域となる、画素内の対向する電極間間隔の表示に寄与しない領域の幅を狭めることで、表示に寄与する領域の電界方向を一方向にするように配置し、前記画素内の対向する電極間間隔の表示に寄与しない領域の幅は、前記画素電極と前記共通電極が形成される基板と対向する基板側に設けられる遮光用のブラックマトリックスの範囲内に収まるように狭められることを特徴とする。
【発明の効果】
【００１０】
この発明によれば、画素内の対向する画素電極と共通電極を、両電極間間隔の表示に寄与しない領域の幅を狭めて、表示に寄与する領域の電界方向を一方向にするように配置することで、ＤＣ発生も常に同じ方向となるので、Ｖｃｏｍ調整でＤＣ発生を抑えることができるため、画素内のＤＣ発生を抑えて、焼き付きを改善することができる。
【発明を実施するための最良の形態】
【００１１】
図１は、この発明に係るＩＰＳ方式の液晶表示装置を説明するもので、画素構造を示す図である。ＩＰＳ方式の液晶表示装置は、上側基板と下側基板及び両者の間隙に充填される液晶層からなり、下側基板に形成された画素電極と共通電極の間に電圧を印加して両電極間に形成される電界を制御し、液晶の配向状態を制御してパネルを透過するバックライト光の透過率を変化させる。このとき、下側基板面にほぼ平行な方向の電界を発生させて液晶層に印加する。
【００１２】
図１に示す画素電極１と共通電極２は下側基板上に形成され、画素電極１はゲートラインをデータラインの交差部ごとに形成されるＴＦＴに接続され、共通電極２は画素電極１に対向して形成されている。対向する画素電極１と共通電極２はともに櫛型形状に形成されている。
【００１３】
ここで、画素内の対向する画素電極１と共通電極２は、電極間間隔の表示に寄与しない領域の幅ａを狭めることで、表示に寄与する領域の電界方向を一方向にするように配置する。すなわち、図１において、画素電圧が正の時に、矢印で示すように、画素電極１の図中右方向のみの電界を発生させ、画素電圧が負の時に、矢印とは逆の図中左方向のみに電界を発生させるようにする。
【００１４】
また、画素内の対向する画素電極１と共通電極２の電極間間隔の表示に寄与しない領域の幅ａは、上側基板に設けられる遮光用のブラックマトリックスの範囲内に収まるよう狭めればよい。
【００１５】
したがって、この発明の実施の形態によれば、画素内の対向する画素電極１と共通電極２を、両電極間間隔の表示に寄与しない領域の幅ａを狭めて、表示に寄与する領域の電界方向を一方向にするように配置することにより、画素内の電界方向を常に一方向にすることができ、これによってＤＣ発生も常に同じ方向となるので、Ｖｃｏｍ調整でＤＣ発生を抑えることができる。このため、画素内のＤＣ発生を抑えて、焼き付きを改善することができる。
【図面の簡単な説明】
【００１６】
【図１】この発明に係るＩＰＳ方式の液晶表示装置を説明するもので、画素構造を示す図である。
【符号の説明】
【００１７】
１  画素電極、２  共通電極、ａ  電極間間隔の表示に寄与しない領域の幅。
【図１】
0005426823.tif 000002
(57)【特許請求の範囲】
【請求項１】
洗濯後の襟を有する衣類を干すために、襟を挟持する左右一対の襟クリップにおいて、前記襟の前襟側を挟持する表面板と襟立て側を挟持する裏面板とからなる挟持部材を、クリップ部と一体的に成型し、前記クリップ部に設けられた弾性体により、前記表面板と前記裏面板とを圧接し、一対の表面板の互いに近接した側の側部を、襟を挟持した際に、襟から離れる方向に湾曲して成型したことを特徴とする襟クリップ。
【発明の詳細な説明】
【技術分野】
【０００１】
本発明は、洗濯後に襟付きシャツの襟と襟立てを挟持して平面に整えて干す襟クリップに関するものである。
【背景技術】
【０００２】
従来、洗濯後に使用する襟クリップは、乾燥後にシャツの表襟に襟クリップの表面後部に跡型が筋状に残ってしまう。したがって、襟クリップを横に長くして跡型が前方から見えない様にしなければならず、また、クリップの挟持力を弱くしてクリップの跡型が残らない様にしなければならない。        
【先行技術文献】
【特許文献】
【０００３】
【特許文献１】特許公開 ２００７―１２５０８８
【発明の概要】
【発明が解決しようとする課題】
【０００４】
上記従来の襟クリップにおいては、挟持した前襟を平面的に仕上げるだけで、乾燥後に表襟の後部に襟クリップの跡型が筋状に残ってしまう難点があつた、襟を効果的に平面に仕上げる機能が無く、また、従来の襟クリップでは、乾燥後にクリップの跡型が、襟表面後部に筋状に残ってしまうため、クリップの跡型が前方から見えない様にする為には、クリップを横に長くしなければならず、襟と襟山を挟持するのに時間や手間がかかる。また襟クリップの跡型が残らない様にするためには、クリップの挟持力を弱くしなければならず、挟持力が劣ると風でシャツが落下する恐れが生じてしまう。本発明は、上記のような課題に鑑み、その課題を解決すべく創案されたものであって、その目的とするところは、襟クリップの跡型が襟表面に筋状に跡型が残るのを防ぎ、裏面板の内面に突起を有して襟付きシャツの落下も防止が出来る、挟持部分もコンパクトにして、襟付きシャツを干し易くする襟クリップを提供することにある。    
【課題を解決するための手段】
【０００５】
上記目的を達成するために、本発明の襟クリップは、表面板後部を外側に湾曲形にすることを備え、また表面板前端の角を切削ることにより円みを持たせ、裏面板の内面に突起を有することが最良の方法と考えて上記課題を解決したものである。
【発明の効果】
【０００６】
本発明の襟クリップによれば、洗濯後の襟付きシャツの襟と襟立てを襟クリップで挟持し表面板後部が湾曲しているため、表面板と裏面板の端が接触することがないため、襟表面に筋状のクリップの跡型が残らず、また裏面板の内面に突起を有するため襟付きシャツの落下防止もできる、襟が自然な仕上がりになる効果がある。
【０００７】
しかも、洗濯後の女性用ブラウスの襟を平面のまま、本発明の襟クリップで挟持して干せばクリップの跡型も付かずフラットな襟に仕上げる効果もある。
【０００８】
さらに、一対の挟持部材と一体的に成型したクリップと弾性体で襟と襟立てを挟持してフックを竿やハンガーに掛けて乾燥するため、手間もアイロンも使わずエコの効果になる。
【図面の簡単な説明】
【０００９】
【図１】本発明の外観図である。
【図２】本発明の表面板とクリップと切削部と湾曲の構成を示した正面図である。
【図３】本発明の裏面板内面の突起とクリップを示した内面図である。
【図４】本発明の襟クリップで挟持して竿に干した実施例を表す図である。
【図５】本発明の側面図である。
【発明を実施するための形態】
【００１０】
以下、本発明の実施の形態を図１〜図５に基づいて説明する。 
【００１１】
本発明の襟クリップは、図１に示すように、挟持部１，２を対称に向かい合わせ、クリップ部５，６の弾性体通し孔７，８に弾性体９を通し、窪み１０，１１で固定し弾性体の圧力で挟持部を閉じ、クリップ部５，６を握持して表面板１と裏面板２が開くよう構成する。
【００１２】
表面板１が前襟に接する面は平面状に形成し、裏面板２の襟立て側に接する面は突起３とクリップ部５，６で前襟と襟立のみを挟持して、フック１２を竿１３やハンガーに掛けて乾燥する構成である。
【００１３】
洗濯後の襟付きシャツの前襟と襟山を表面板１と裏面板２の内面の突起３で挟持するため襟付きシャツの落下防止ができ、表面板前部端を切削４ａして表面板後部分を外側方向に湾曲４ｂを備えることにより、表面板後部と裏面板後部との間に隙間が生じる為、襟の表面にクリップの跡型が筋状に残るのを防ぐことができるように形成されている。
【産業上の利用可能性】
【００１４】
以上のように、本発明の襟クリップは、表面板、裏面板とクリップ部が、一体的に成型できるため、合成樹脂等の材質で安価で製造できる。
【符号の説明】
【００１５】
１  表面板
２  裏面板
３  裏面板内面の突起部
４ａ  表面板前部端の切削部
４ｂ  表面板後部分の外向き湾曲部分
５  表面クリップの握持部
６  裏面クリップの握持部
７・８  弾性体の通し孔
９  弾性体
１０・１１  弾性体を固定する窪み
１２  フック
１３  物干し竿
１４  襟付きシャツ
【要約】
【課題】従来の、襟クリップは、乾燥後にクリップの跡型が、襟表面後部に筋状に残ってしまう難点があった、襟クリップの跡型が前方から見えない様にする為には、クリップを横に長くしなければならず、襟と襟山を挟持するのに時間や手間がかかる。またクリップの跡型が筋状に残らない様にするためには、クリップの挟持力を弱くしなければならず、挟持力が劣ると風でシャツが落下する恐れが生じてしまうため、洗濯後、襟に跡型を残さない襟クリップを提供することを目的とする。
【解決手段】表面板後部を外側方向に湾曲形を設け、裏面板後部端との挟持部分に隙間が生じることにより、襟の表面にクリップの跡型が残らない襟クリップを提供することができる。
【選択図】  図１【図１】
0005647323.tif 000002
【図２】
0005647323.tif 000003
【図３】
0005647323.tif 000004
【図４】
0005647323.tif 000005
【図５】
0005647323.tif 000006
(57)【特許請求の範囲】
【請求項１】
二つ折り財布の本体の下部には、折り目部分を跨ぐ位置に押さえ部品を設け、前記本体の上部には、前記折り目部分を中心として前記本体を二分する一方の領域にフラップ部品を設けたことを特徴とする二つ折り財布の札入れ構造。
【請求項２】
前記押さえ部品と前記フラップ部品の短辺方向の長さの和は、前記本体の短辺方向の長さ以下であり、かつ、前記フラップ部品の短辺方向の長さは、前記押さえ部品の短辺方向の長さと同一であるか、又は、前記押さえ部品の短辺方向の長さよりも短いことを特徴とする請求項１記載の二つ折り財布の札入れ構造。
【発明の詳細な説明】
【技術分野】
【０００１】  この発明は、二つ折り財布の札入れ部分の構造に関する。
【背景技術】
【０００２】  従来の二つ折り財布の札入れ部分の構造は図３に示すように、本体１の内面に、深さが本体１と同等かそれよりも浅く紙幣を覆い隠すポケット部品４を取り付けることで、ポケットを形成し紙幣を収納するものである。
【先行技術文献】
【特許文献】
【０００３】
【特許文献１】特許公開平０９−２８５３２６札入れ
【発明の概要】
【発明が解決しようとする課題】
【０００４】  しかしながら、以上の技術によれば、ポケット部分の上部が開口しているため持ち運び時に紙幣が落ちる場合があるという課題がある。また紙幣を取り出す際にはポケット部分の開く幅の範囲内で枚数を確認したり、枚数を選んで取り出す必要があるため、紙幣を取り扱うためには指先を細かく精確に動かす必要があり手間がかかるという課題がある。
【課題を解決するための手段】
【０００５】  以上の課題を解決するために、第一発明は、２つの部品（押さえ部品、フラップ部品）を本体の特定の位置に取り付けることにより、折り畳み性能は維持しつつ、紙幣の出し入れの効率と本体からの脱落防止性能を向上させることを特徴とする、二つ折り財布の札入れ部分の構造である。
また、第二発明は、前記押さえ部品、前記フラップ部品の寸法を指定することで、第一発明の効果の及ぶ範囲を規定するものである。前記押さえ部品と前記フラップ部品の短辺方向の長さの和は、前記本体の短辺方向の長さ以下であり、かつ、前記フラップ部品の短辺方向の長さは、前記押さえ部品の短辺方向の長さと同一であるか、又は、前記押さえ部品の短辺方向の長さよりも短い。
【発明の効果】
【０００６】  第一発明、または第二発明によれば、押さえ部品、フラップ部品と本体で構成される空間の中に紙幣を収納し包み込むことで、折りたたみ時の財布上部の密閉性が従来技術と比べ向上する。それでいて、前記フラップ部品は折り目部分を中心として前記本体を二分する一方の領域に位置することで財布の折り曲げを阻害しない。
紙幣取り出し時には、前記フラップ部品を指で弾いて紙幣と位置を入れ替えると、紙幣の上部が全て露出するため、紙幣のみを手に取って持つ場合と同様の状態を作り出すことが出来る。
以上の動作は、精確で細かな指の動きを必要とせず、またこの状態を作り出すことで、財布が紙幣の取り扱いを制限することがなくなるため、紙幣が取り扱いやすくなる。紙幣を収納する場合も逆の順序により簡単に収納することが出来る。
【図面の簡単な説明】
【０００７】
【図１】この発明の一実施形態（紙幣収納時）を示す斜視図である。
【図２】この発明の一実施形態（紙幣取り扱い時）を示す斜視図である。
【図３】従来技術を示す斜視図である。
【発明を実施するための形態】
【０００８】  この発明の一実施形態を、図１（紙幣収納時）、図２（紙幣取り扱い時）に示す。
二つ折り財布の札入れ部分の本体１の下部、折り目部分を跨ぐ位置に押さえ部品２が設けられ、前記折り目部分を除く下端が縫製により結び付けられている。また前記折り目部分を中心として二分される前記本体１の右方領域上部にフラップ部品３が設けられており、上端が縫製により結び付けられている。さらに、紙幣の短辺方向の長さについて、前記押さえ部品２、前記フラップ部品３の長さの和は本体の長さより小さく、前記フラップ部品３は前記押さえ部品２より短い。各部品はそれぞれ皮革素材である。
【０００９】「実施形態の効果」
この実施形態によればフラップ部品３の働きで、紙幣収納時（図１）における二折り状態での財布上部の密閉性が確保される。前記フラップ部品３を指で弾いて紙幣と位置を入れ替えると、紙幣の上部が全て露出し、押さえ部品２と前記本体１で紙幣が保持されるため、紙幣のみを手に取って持つ場合と同様の状態を作り出すことが出来き、紙幣が取り扱いやすくなる（図２）。紙幣を収納する場合も逆の順序により簡単に収納することが出来る。また紙幣の短辺方向の長さについて、前記押さえ部品２、前記フラップ部品３の長さの和は本体の長さより小さく、前記フラップ部品３は前記押さえ部品２より短いため、前記押さえ部品２と前記フラップ部品３の間に隙間が生じ、前記フラップ部品３が指で弾きやすくなる。また、前記押さえ部品２の方が前記フラップ部品３より長いことで、図２の状態の際に紙幣を覆いしっかり保持することが出来る。
「他の実施形態」
紙幣の短辺方向の長さについて、押さえ部品２、フラップ部品３の長さは同じであっても良い。素材はナイロンや布地、であっても良い。
【符号の説明】
【００１０】１  本体                        ２  押さえ部品
３  フラップ部品                ４  ポケット部品
Ｍ  紙幣                        Ｈ  手
【図１】
0005510675.tif 000002
【図２】
0005510675.tif 000003
【図３】
0005510675.tif 000004
(57)【特許請求の範囲】
【請求項１】
戸閉制御回路と戸閉保安回路を有する戸閉制御装置において、車両が走行中(速度が５km/h以上)で動作する速度保安リレーを有するハードシーケンス回路により、車両が走行中(速度が５km/h以上)はドア開スイッチを押しても、ドアを開けるためのリレーが励磁されず、車両が走行中(速度５km/h以上)にドア開スイッチを押した場合、車両が停車(速度が５km/h以下)しても走行表示灯の点灯が保持されることを特徴とする戸閉制御回路。
【発明の詳細な説明】
【技術分野】
【０００１】
電車のドアは戸閉保安装置により走行中は間違ってドア開スイッチを押してもドアが開かないような回路になっている。しかし、万が一走行中ドアが開いてしまった場合、原因が戸閉制御装置と戸閉保安装置のどちらにあるのか判断が難しかった。
本発明は、走行中にドア開スイッチを押した場合、停車しても走行表示灯が点灯していることにすることにより、走行中にドアが開いてしまった原因が戸閉制御回路にあるのか戸閉保安回路にあるのか特定するのを容易にした車両用戸閉制御装置に関するものである。
【背景技術】
【０００２】
従来の戸閉制御装置は、走行中にドア開スイッチを押した場合その痕跡が残らず、走行中にドアが開いてしまった原因を究明するのが困難だった。単に扉が開いたことの検知手段を設けることは知られている。（特許文献１参照）
【先行技術文献】
【特許文献】
【０００３】
【特許文献１】実開昭６０−１５７３６３号公報
【発明の概要】
【発明が解決しようとする課題】
【０００４】
リレーのハードシーケンス回路のみで、走行中にドア開スイッチを押した場合その痕跡を残し、それにより走行中にドアが開いてしまった原因が戸閉制御回路にあるのか戸閉保安回路にあるのか特定を可能にすること。
【課題を解決するための手段】
【０００５】
請求項１の発明によれば、戸閉制御回路と戸閉保安回路を有する戸閉制御装置において、車両が走行中(速度が５km/h以上)で動作する速度保安リレーを有するハードシーケンス回路により、車両が走行中(速度が５km/h以上)はドア開スイッチを押しても、ドアを開けるためのリレーが励磁されず、車両が走行中(速度５km/h以上)にドア開スイッチを押した場合、車両が停車(速度が５km/h以下)しても走行表示灯の点灯が保持されることを特徴とする。
【０００６】
すなわち、戸閉制御回路と戸閉保安回路を一体にし、車両が走行中(速度が５km/h以上)で動作する速度保安リレーを用いて以下のことを実現する回路をリレーのハードシーケンス回路のみで構成する。
（１）車両が走行中(速度が５km/h以上)はドア開スイッチを押しても、ドアを開けるた
めのリレーが励磁されない回路。
（２）車両が走行中(速度５km/h以上)にドア開スイッチを押した場合、車両が停車(速
度が５km/h以下)しても走行表示灯の点灯が保持する回路。
【発明の効果】
【０００７】
本発明を使用することによりリレーのハードシーケンス回路のみで走行中にドア開スイッチを押すという誤操作の証拠を残し、それにより走行中にドアが開いてしまった原因が戸閉制御回路にあるのか戸閉保安回路にあるのか特定するのが容易になり、迅速に原因究明ができる。
【図面の簡単な説明】
【０００８】
【図１】本発明の戸閉制御装置を構成する回路図を示す。（実施例１）
【発明を実施するための形態】
【０００９】
以下、図１を参照して本発明の実施の形態を説明する。
【実施例１】
【００１０】
１）走行中は１、２の速度保安リレーのb接点は閉じているので走行表示灯３が点灯す
る。
２）ドア開スイッチ４を押すと５のリレーが励磁され、６の接点が閉じる。
３）それにより７のリレーが励磁され、８の接点が閉じることにより５のリレーの励磁
が自己保持される。
４）６の接点も閉じたままになるので、７のリレーの励磁も自己保持される。
５）走行中は２のb接点は閉じているので４）により９のリレーが励磁され、１０のa
接点が閉じることにより９のリレーの励磁が自己保持される。よって、速度が５km
/h以下になって２と１９のb接点が開いても、６の接点から１０の接点のラインに
より９のリレーの励磁は自己保持される。
６）上記より走行中にドア開スイッチ４を押すと、１１のリレーのb接点が開いている
ことによりドア開指令を実行する１２のリレーは励磁されないので、ドア開スイッ
チ４を押してもドアは開かない。
７）速度が５km/h以下になって１のb接点が開いても、９のリレーは自己保持している
ため、１３のa接点が閉じているので走行表示灯３は点灯し続ける。
８）上記より５のリレーの励磁が解消されないかぎり、つまりドア閉スイッチ１４を押
すと釈放する１６のb接点が開かないかぎり７，９のリレーは自己保持し続けるの
で、走行表示灯３を消灯するには停止中は１９の接点は開いているので、ドア閉ス
イッチ１４を押して１５のリレーを励磁すれば、１６のb接点が開くので５のリレ
ーは消磁され、６のa接点は開く。よって７、９のリレーが消磁されるので、１３
のa接点が開き走行表示灯３は消灯する。
【００１１】
上記1)〜8)により走行中にドア開スイッチを押した場合、ドアが開かず、停車しても走行表示灯が点灯し続ける回路を実現できる。
上記の回路を構成することにより、以下のことが実現できる。
（１）走行中にドア開スイッチを押した場合、停車しても走行表示灯が点灯を保持する
ことによりその痕跡を残すことができる。
（２）走行中にドアが開いてしまって、かつ停車しても走行表示灯の点灯していた場合
、走行中にドア開スイッチを押したのだから戸閉保安機能が働くはずが機能しな
かったことになるので、原因は戸閉保安回路にあることが明らかにできる。
（３）走行中にドアが開いてしまって、かつ停車した時、走行表示灯の点灯していなか
った場合、走行中にドア開スイッチを押していないのにドアが開いてしまってい
るので、まず戸閉制御回路に原因がある。たとえ、ドア開スイッチを押していな
くても走行中はドアを開かないようにするのが戸閉保安回路だから、戸閉保安回
路にも原因がある。よって、この場合、戸閉制御回路と戸閉保安回路の両方に原
因があることがわかる。
【符号の説明】
【００１２】
１，２，１９  速度保安リレーのｂ接点(速度5km/h以下で開状態)
３            走行表示灯(速度5km/h以上で点灯)
４            ドア開スイッチ
５            ドア開指令保持リレー１
６            ドア開指令保持リレー１のａ接点
７            ドア開指令保持リレー２
８            ドア開指令保持リレー２のａ接点
９            戸閉保安リレー
１０，１３    戸閉保安リレーのａ接点
１１          戸閉保安リレーのb接点
１２          ドア開指令実行リレー
１４          ドア閉スイッチ
１５          ドア閉実行リレー
１６          ドア閉実行リレーのb接点
１７，１８    ドア開指令実行リレーのａ接点
【図１】
0005510658.tif 000002
(57)【特許請求の範囲】
【請求項１】
水面と天板の間隙を無くし、上面から観賞魚を鮮明に見ることを目的とした水槽において、水槽の最上部の外周に溝（以後、上部溝と表記）を設け、溢れた水の排水溝を設けた水槽。
【請求項２】
前記水槽の上部溝の一部に覆いを設け、地震時の揺れでも水が漏れない機能を設けた請求項１に記載する水槽。
【請求項３】
前記水槽と上部溝との間の隔壁板の上辺に１から１０度程度の緩やかな傾斜面を形成し、水槽内から上部溝への水の流れを促すことにより、水槽面の気泡を抜けやすくした請求項１または２に記載する水槽。
【発明の詳細な説明】
【技術分野】
【０００１】この発明は、観賞魚の水槽に関する。
【背景技術】
【０００２】  従来、熱帯魚・海水魚・金魚などの観賞魚は側面から見るための水槽が多数を占めた。また、従来の上面から見るための水槽（実用新案公開平５−９１３１８など）は水面と天板部に間隙があり、水面が波立つなどの乱反射により鮮明に鑑賞することができなかった。特許出願平４−４７５２８の水槽は天板テーブルが凸状のため、製造コストが高くなるなど実用化の問題があった。
上面から鮮明に見るためには上記のようないくつかの問題点があり、改良が必要であった。
【発明の開示】
【発明が解決しようとする課題】
【０００３】［請求項１］では水面と天板の間隙を無くす手段において、劣化しやすいパッキンを使用していたことで、パッキンの定期交換が必要だった
［請求項２］では地震などによる振動で上部溝から水を漏れる可能性があった
［請求項３］では天板と水面の間に気泡が入ると、上から鮮明に見ることができなくなるが、その気泡をより抜けやすくする方法。
【課題を解決するための手段】
【０００４】［請求項１］ではパッキンの代わりに図１と図２のような全周に上部溝を設ける構造にした。水と空気が適宜流れることにより、鑑賞層内での空気が抜け、水が上部溝を通るようにした。
［請求項２］では図３のような振動で上部溝内で発生した波の返し板を取り付けた。
［請求項３］では上部溝の頂点を１度から１０度の傾斜をすることにより、水位差の負圧を利用したサイフォンの原理により、空気の抜けを良くした。
【発明の効果】
【０００５】［請求項１］ではパッキンを使用しないためパッキンの定期交換が不要になった。
［請求項２］では上部溝内で波が発生しても、容易には水が漏れないようにした。
［請求項３］では空気の抜けがよくなり、鑑賞層内の気泡がさらに残りにくくなった。
【発明を実施するための最良の形態】
【０００６】本発明の最良の形態の一つとして、図５において、鑑賞層で溢れた水が、上部溝を流れ、排水管から濾過槽に水が流れ、濾過槽内の揚水ポンプにより、また鑑賞層に水が送られる水の循環構造。
電気層には揚水モーターなどの電源を収納できる。【０００７】「他の実施形態」
排水管を複数つけることにより、大型化にも対応することができる。
【図面の簡単な説明】
【０００８】
【図１】この発明の［請求項１］の一実施形態を示す側面からの拡大図である。
【図２】この発明の［請求項１］の一実施形態を示す上面からの拡大図である。
【図３】この発明の［請求項２］の波が立っても水が漏れないようにした部分の側面の拡大図である。
【図４】この発明の［請求項３］の傾斜を設けた側面の拡大図である。
【図５】この発明の一実施形態を示す側面図である。
【符号の説明】
【０００９】▲１▼天板ガラス
▲２▼上部溝
▲３▼天板ガラスの突起
▲４▼振動により発生した波
▲５▼波の返し板
▲６▼上部溝の頂点の傾斜
▲７▼濾過槽
▲８▼鑑賞槽
▲９▼電気層
▲１０▼揚水モーター
▲１１▼排水管
実線矢印Ａ、鑑賞層から上部溝への水と空気の流れ
実線矢印Ｂ、上部溝から大気への空気の流れ
実線矢印Ｃ、上部溝から濾過槽への水の流れ
実線矢印Ｄ、濾過槽から鑑賞層への水の流れ
【図１】
0005419299.tif 000002
【図２】
0005419299.tif 000003
【図３】
0005419299.tif 000004
【図４】
0005419299.tif 000005
【図５】
0005419299.tif 000006
(57)【特許請求の範囲】
【請求項１】
天然繊維からなる芯糸に、帯状の表層紙を一部が重なるように順次ずらしながら巻き付けた子紐を、複数本撚り合せた撚りロープであって、前記子紐は前記芯糸と表層紙との中に、表層紙よりも軟質の帯状の中間紙を一部が重なるように順次ずらしながら巻き付けたものであることを特徴とする撚りロープ。
【請求項２】
前記芯糸は麻糸で、前記中間紙は再生紙であり、前記表層紙は耐水紙であることを特徴とする請求項１記載の撚りロープ。
【請求項３】
請求項１又は２に記載の撚りロープを網糸として用いたことを特徴とする漁網。  
【発明の詳細な説明】
【技術分野】
【０００１】
本発明は天然素材を用いた撚りロープ、撚り紐、縄（以下撚りロープと総称する）に関し、樹木等の雪吊りや添え木の結び等の農林業の分野、あるいは漁網等の水産業の分野等に適用するのに好適である。
【背景技術】
【０００２】
現在例えば、底曳き網等にはポリエチレン糸、刺網や定置網等にはポリアミド糸等、それぞれの漁法に応じて各種合成繊維糸が使用されている。
富山湾等では、古くから定置網による漁法が行われ、漁網の網糸として古くから稲わらからなるわら縄が使用されてきたが、多くの定置網では耐久性に優れた合成繊維糸に置き換えられている。
しかし、合成繊維糸からなる漁網は耐久性に優れるものの、使用後の廃材処理が大変であり、近年においては環境への負荷も大きな問題になっている。
特に富山湾で、ホタルイカ漁に用いられる定置網は、ホタルイカの漁獲時期が４〜６月と短期間に限られていることもあり、現在も稲わらからなるわら縄を網糸に用いられている。
これは、わら縄が天然素材であり、ホタルイカの漁獲に使用後にそのまま、海に沈めることができるからである。
わら縄は、海中で菌により分解され、栄養源ともなる。
しかし、近年稲作の機械化が進展し、はさ掛け等による天日干しも殆ど消滅したために稲わらを確保するのが困難になりつつある。
そこで本発明者らは、わら縄に替わるロープ材を検討した結果、本発明に至った。
【０００３】
例えば特許文献１には、紙製の園芸用ロープを開示するが、これは樹木を移植先に根付かせるのが目的であり、強度も弱く、わら縄の代替になるものではない。
【先行技術文献】
【特許文献】
【０００４】
【特許文献１】特開平７−３０８１３１号公報
【発明の概要】
【発明が解決しようとする課題】
【０００５】
本発明は、従来のわら縄の代替品として使用可能であり、さらにはわら縄以上に柔軟性及び耐久性に優れた撚りロープの提供を目的とする。
【課題を解決するための手段】
【０００６】
本発明に係る撚りロープは、天然繊維からなる芯糸に、帯状の表層紙を一部が重なるように順次ずらしながら巻き付けた子紐を、複数本撚り合せた撚りロープであって、前記子紐は前記芯糸と表層紙との中に、表層紙よりも軟質の帯状の中間紙を一部が重なるように順次ずらしながら巻き付けたものであることを特徴とする。
【０００７】
芯糸は、天然素材であれば麻糸、綿糸、絹糸等各種材質を用いることができるが、強度及び入手のしやすさからすれば麻糸がよい。
麻糸は、繊維を単に束ねたものでも撚糸にしたものでもよく、ロープの太さ、強度に応じて本数を増す。
本発明において、中間紙は撚りロープの取扱い時のソフト感と結び等における柔軟性が必要な場合に巻き付けるものであり、比較的細い撚りロープの場合には中間紙がなくてもよい。
中間紙は、このような目的で用いるものであり、古新聞等古紙を再生したパルプ素材でよく、ソフト感の高い軟質のものでよい。
また、強度的にも表層紙よりも弱いものでよい。
表層紙はパルプ等の天然素材を用いたものであれば、耐水処理、撥水処理したものがよい。
ホタルイカ漁の漁網等として使用する場合には、３〜４ヶ月の使用期間であり、使用後には海中に沈めることを考慮し、表層紙の強度設計を行う。
なお、表層紙はパルプを主に使用したものであれば、古紙とバージンパルプを混合したものでもよく、耐水剤、撥水剤の添加のみでは、耐久性が不充分の場合には表面に樹脂フィルムを積層したものを用いても良い。
【発明の効果】
【０００８】
本発明は、麻糸等の天然素材からなる芯糸にパルプを原料にした紙からなる中間紙及び表層紙を巻き付けたものを子紐とした撚りロープにしたので、強度と柔軟性を兼ね備えることができ、従来のわら縄の代替品として使用できるのみならず、わら縄以上の強度、耐久性、及び結び等の取扱性に優れる。
よって、林業における樹木の雪吊り、結び、漁業における定置漁等多くの分野にて使用できる。
【図面の簡単な説明】
【０００９】
【図１】本発明に係る撚りロープの構造例を示す。
【図２】撚りロープの断面図を示す。
【図３】麻糸の本数を９本にした例を示す。
【発明を実施するための形態】
【００１０】
本発明に係る撚りロープは、わら縄の代替、撚り紐、網糸等と各種ロープ材として使用できる。
図１に基本的な構造例を示す。
撚りロープ１０は麻糸１１を複数本束ね芯糸とする。
本実施例では、麻糸１１を２本にした例で麻糸１１を９本にした例を図３に示す。
麻糸１１からなる芯糸の周囲に古新聞紙から得られた軟質の再生紙を中間紙として、帯状にしたものを一部重ねながら、渦巻状に巻き付ける。
その上から、表層紙１３を中間紙１２と同じ方向に巻き付ける。
このようにして得られた子紐１４を複数本、本実施例では２本の子紐を子紐の巻き方向とは逆方向に撚り合せて撚りロープ１０を製作した。
このときのＡ−Ａ線断面図を図２に示す。
本実施例に用いた表層紙は、古紙とバージンのパルプを使用し、紙厚７０〜１００μｍ、引張り強度縦方向６ｋｇｆ以上、横方向１ｋｇｆ以上、引裂き強度縦方向３５ｋｇｆ以上、横方向７０ｋｇｆ以上、伸度４％以下のものを用いた。
これを網糸としてホタルイカの漁網を網み、海中で使用したところ、従来のわら縄以上の耐久性があった。
【符号の説明】
【００１１】
１０      撚りロープ
１１      麻糸
１２      中間紙
１３      表層紙
１４      子紐
【図１】
0005489647.tif 000002
【図２】
0005489647.tif 000003
【図３】
0005489647.tif 000004
(57)【特許請求の範囲】
【請求項１】
上面と下面とを連通するオリフィスを開けたピストンの上面に設定圧力と二次側圧力との偏差に基づいて一次側流体を導入することにより前記ピストンを変位せしめて前記ピストンに連結した主弁を開閉操作するものにおいて、前記ピストンの変位により上端が前記オリフィス内に前記オリフィスの下部から上部に向けて進入して前記オリフィスに付着した異物を排除する異物排除部材を設けたことを特徴とする減圧弁。
【発明の詳細な説明】
【技術分野】
【０００１】
本発明は、蒸気や圧縮空気や液体等の流体配管系に取り付けて、弁の出口側すなわち弁の二次側の流体圧力を一定の設定圧力に保つ減圧弁に関する。
【背景技術】
【０００２】
従来の減圧弁は、例えば特許文献１に開示されている。これは、上面と下面を連通するオリフィスを開けたピストンの上面に設定圧力と二次側圧力との偏差に基づいて一次側流体を導入することによりピストンを変位せしめてピストンに連結した主弁を開閉操作するものである。
【先行技術文献】
【特許文献】
【０００３】
【特許文献１】実開平５−８６２３号公報
【発明の概要】
【発明が解決しようとする課題】
【０００４】
上記従来の減圧弁においては、オリフィスの開口面積が比較的小さいために、オリフィスを流下する流体中のゴミ、錆、スケール等の遺脱がオリフィスに付着し易く次第に堆積して比較的短期間にオリフィスが詰まってしまう問題点があった。
【０００５】
したがって本発明が解決しようとする課題は、オリフィスに付着する異物を自動的に排除できる減圧弁を提供することである。
【課題を解決するための手段】
【０００６】
上記の課題を解決するために、本発明の減圧弁は、上面と下面を連通するオリフィスを開けたピストンの上面に設定圧力と二次側圧力との偏差に基づいて一次側流体を導入することによりピストンを変位せしめてピストンに連結した主弁を開閉操作するものにおいて、ピストンの変位によりオリフィス内に進入してオリフィスに付着した異物を排除する異物排除部材を設けたことを特徴とするものである。
【発明の効果】
【０００７】
本発明によれば、ピストンの変位によりオリフィス内に進入してオリフィスに付着した異物を排除する異物排除部材を設けたことにより、ピストンの変位により異物排除部材がオリフィス内に進入してオリフィスに付着する異物を自動的に排除できるという効果を奏する。
【図面の簡単な説明】
【０００８】
【図１】本発明の実施の形態に係わる減圧弁の断面図である。
【発明を実施するための形態】
【０００９】
以下、本発明の実施の形態について、図１を参照して説明する。弁ケーシング１に入口２と出口３を形成し、弁ケーシング１にねじ結合した弁座部材４に弁口５を形成する。弁口５を開閉する主弁６をコイルバネ１７で閉弁方向に付勢して配置する。主弁６の上端をピストン７の接続棒８と当接させる。ピストン７の上部のピストン室９を連通路１３を介してパイロット弁室１４と接続する。パイロット弁室１４は入口圧連通路３２を介して入口２と接続する。ピストン７の外周に環状の溝を設けてシリンダ２９との間の気密を保つシール部材としてのピストンリング２６を配置する。ピストン７にその上面と下面を連通するオリフィス２７を開ける。ピストン７の下方の弁ケーシング１に異物排除部材２８をねじ結合して設ける。異物排除部材２８はピストン７が下方に変位したときにオリフィス２７内に進入してオリフィス２７に付着した異物を排除する。
【００１０】
入口圧連通路３２と連通路１３の間のパイロット弁室１４に入口圧連通路３２と連通路１３とを連通遮断するパイロット弁１２を配置する。パイロット弁１２の上端は受圧応動部としてのダイヤフラム２１の下面中央部に当接する。ダイヤフラム２１の上下動に応じてパイロット弁１２を開閉して入口圧連通路３２と連通路１３とを連通遮断する。ダイヤフラム２１の一面にはダイヤフラム押え２２を介して圧力設定バネ２３の弾性力が作用している。圧力設定バネ２３の上端には鋼球２５を介して圧力調節ねじ２４を取り付ける。ダイヤフラム２１の他面の下面室３０には弁口５の二次側から連通する二次圧検出通路３１からの二次側圧力が作用している。
【００１１】
上記の減圧弁の動作は次の通りである。出口３側の圧力が圧力設定バネ２３で設定した設定圧力よりも低下すると、圧力設定バネ２３のバネ力によりダイヤフラム２１を介してパイロット弁１２が開弁され、入口２側の高圧流体が連通路３２，１３を通ってピストン７の上面に作用してピストン７が下方へ変位する。ピストン７の変位により主弁６が弁座部材４から離座し弁口５を開口して出口３側に入口２側の高圧流体を補給することにより、出口３側の圧力が設定圧力まで上昇する。このとき、異物排除部材２８がオリフィス２７内に進入してオリフィス２７に付着した異物を排除する。設定圧力に達するとダイヤフラム２１を上方へ押し上げる荷重と、圧力設定バネ２３による押し下げ荷重がバランスしてパイロット弁１２が閉弁し、ピストン室９の高圧流体がオリフィス２７から出口３側に抜けてピストン７が上方へ変位する。ピストン７の変位により主弁６が弁座部材４に着座して弁口５を閉止する。
【産業上の利用可能性】
【００１２】
本発明は、流体配管系に取り付けて、弁の出口側すなわち弁の二次側の流体圧力を一定の設定圧力に保つ減圧弁に利用することができる。
【符号の説明】
【００１３】
１  弁ケーシング
２  入口
３  出口
４  弁座部材
５  弁口
６  主弁
７  ピストン
１２  パイロット弁
１７  コイルバネ
２１  ダイヤフラム
２３  圧力設定バネ
２４  圧力調節ねじ
２７  オリフィス
２８  異物排除部材
【図１】
0005489692.tif 000002